【事件の表示】
　平成　６年特許願第３２７７４２号「育苗用培土」拒絶査定不服審判事件〔平成　８年　７月　９日出願公開、特開平　８−１７２９００〕について、次のとおり審決する。
【結　論】
　本件審判の請求は、成り立たない。
【理　由】
１.手続の経緯
　本願は、平成６年１２月２８日の出願であって、
平成１３年７月２６日付けで拒絶査定がなされ、これに対し、同年９月１９日付けで審判請求がなされるとともに、同年１０月１７日付けで手続補正がなされたものである。
　上記補正は、明細書の「特許請求の範囲」を補正対象として変更するものであって、平成１５年改正前の特許法第１７条の２第１項第４号の規定により平成１３年１０月１７日付けの手続補正書に記載のとおりに補正するものである。
　　　　　　　　　　　　　　　　　　　　　　　　　　　　　　　　　
２.平成１３年１０月１７日付けの手続補正についての補正却下の決定
[補正却下の決定の結論]
平成１３年１０月１７日付けの手続補正（以下、「本件補正」という。）を却下する。
[理由]
（１）補正の内容及び適否について
　本件補正は、平成１２年９月２９日付け手続補正書の特許請求の範囲の請求項１及び２に、請求項３及び４を新たに追加するものであって、請求項の削除、特許請求の範囲の減縮、誤記の訂正及び明りょうでない記載の釈明のいずれかを目的とする補正ではない。
（２）むすび
　以上のとおり、本件補正は、平成１５年改正前特許法第１７条の２第４項の規定に適合しないので、当該補正は認められない。
　したがって、本件補正は、特許法第１５９条第１項の規定によって読み替えて準用する同法第５３条第１項の規定により却下すべきものである。
　　　　　　　　　　　　　　　　　　　　　　　　　　　　　　　　　
３.本願発明について
　平成１３年１０月１７日付け手続補正は上記のとおり却下されたので、本願発明は、平成１２年９月２９日付け手続補正書の請求項１及び２に記載された事項により特定されるとおりのものであるところ、その請求項１に記載された発明（以下、「本願発明」という。）は、次のとおりである。
 「２−（メタ）アクリルアミド−２−メチルプロパンスルホン酸もしくはその塩０.５モル％および/または不飽和ジカルボン酸もしくはその塩０.５〜１０モル％をアクリルアミドと共重合した水溶性アクリルアミド系重合体を土壌に対し、０.１〜５重量％添加混合してなる育苗用培土。」
（１）刊行物
　原査定の拒絶の理由に引用され本願出願前に頒布された 特開昭５９−５９１１９号公報（以下、「刊行物１」という。）には、次のような記載がある。
（ア）「本発明者らは移植の際の着根土壌塊の硬度を向上して崩れにくくし、根部の損傷や移植不全を防止し、定植後の活着を改善することを主目的として鋭意検討した結果、本発明に到達した。すなわち、本発明はアクリルアミド重合体および/または共重合体（Ａ）からなる移植用育苗培土の硬度向上剤である。
　本発明におけるアクリルアミド重合体および/または共重合体（Ａ）としてはアクリルアミドの重合体およびアクリルアミドと他の共重合可能な単量体との共重合体があげられる。他の共重合可能な単量体としては下記の単量体があげられる。
１.アニオン性単量体
（１）カルボキシル基またはカルボン酸塩形基含有単量体
　不飽和モノカルボン酸（塩）[（メタ）アクリル酸（塩）など],不飽和ポリカルボン酸（塩）[マレイン酸（塩）など]等
・・・・・・・・・・・・・・・・・（中略）・・・・・・・・・・・・・
（２）スルホン酸（塩）基含有単量体
・・・・・・・・・・・・・・・・・（中略）・・・・・・・・・・・・・[２−（メタ）アクリルアミド−２−メチルプロパンスルホン酸（塩）]
（第１頁右下欄第２０行〜第２頁右上欄第１５行）
（イ）「育苗培土に対する硬度向上剤の添加量はアクリルアミド重合体および/または共重合体の固形分換算で培土総重量に対し通常０.５ないし１０％,とくに好ましくは１.５ないし５％である。添加量が０.５％未満では成育苗移植時の着根土壌塊の硬度が不十分であり,また,１０％より多くなると植物の成長を阻害する。」　
（第３頁右上欄第１４〜２０行）
　これらの記載によれば、刊行物１には、以下の発明が記載されているものと認められる。
「２−（メタ）アクリルアミド−２−メチルプロパンスルホン酸もしくはその塩および/または不飽和ポリカルボン酸もしくはその塩をアクリルアミドと共重合したアクリルアミド共重合体を培土総重量に対し、通常０.５ないし１０％、特に好ましくは１.５ないし５％添加混合してなる移植用育苗培土。」
　また、本願の明細書中に従来の技術として記載された特開昭５９−１０６２２８号公報（以下、「刊行物２」という。）には、次のような記載がある。
（ア）「本発明者らは上記の実情に鑑み、鋭意検討の結果、バインダーとして特定の重合体を土壌に混合することにより、手軽に使用でき、幼植物の生育を抑制せず、かつ移植時に十分な根鉢部分の強度を有する土付苗が得られる育苗用土を見出し本発明に到達した。
　すなわち、本発明は、ー（ＣＨ２ーＣＨ）ー　
　　　　　　　　　　　　　　　　 ｜
　　　　　　　　　　　　　　　　ＣＯＯ−  Ｎａ＋で表される繰返し単位を０.０１〜２０モル％含有するアクリルアミド共重合体を土壌に対し０.０５〜５重量％混合してなる育苗用土を提供する。」　
（第２頁左上欄第２〜１３行）
（イ）「この共重合体はアクリルアミドとポリアクリル酸ナトリウムを共重合するか、またはアクリルアミド単独重合体をＮａＯＨで部分加水分解する等公知の方法で得ることができる。
・・・・・・・・・・・・・・・（中略）・・・・・・・・・・・・・・・
　共重合体中のー（ＣＨ２  ーＣＨ）ー
　　　　　　　　　　　　　 ｜
　　　　　　　　　　　　　ＣＯＯ−   Ｎａ＋単位の含有量は０.０１〜２５モル％、好ましくは０.１〜５モル％である。
　含有量が２０モル％を超えると根鉢強度が落ちるので好ましくない。一方、０.０１モル％以下では共重合体としての効果が表れない。
　また該共重合体の土壌への添加量は土壌に対して０.０５〜５重量％、好ましくは０.１〜３重量％である。０.０５重量％未満では土壌の粘結強度が不足し、５重量％を超えるとコストアップとなる他、育苗容器に土入れするときに粘着して作業がし難くなり、また作物によっては生育を抑制する場合があるので好ましくない。」
（第２頁右上欄第１３行〜左下欄第１２行）
（２）対比・判断
　本願発明と刊行物１記載の発明とを対比すると、刊行物１記載の発明の 「２−（メタ）アクリルアミド−２−メチルプロパンスルホン酸（塩）」、「不飽和ポリカルボン酸（塩）」、「アクリルアミド共重合体」及び「移植用育苗培土」は、それぞれ本願発明の「２−アクリルアミド−２−メチルプロパンスルホン酸もしくはその塩」、「不飽和ジカルボン酸もしくはその塩」、「水溶性アクリルアミド系重合体」及び「育苗用培土」に相当するから、両者は、「２−アクリルアミド−２−メチルプロパンスルホン酸もしくはその塩および/または不飽和ジカルボン酸もしくはその塩をアクリルアミドと共重合した水溶性アクリルアミド系重合体を土壌に対し、添加混合してなる育苗用培土。」の点において一致し、以下の点において相違する。
相違点１:本願発明は、２−アクリルアミド−２−メチルプロパンスルホン酸もしくはその塩０.５〜１０モル％および/または不飽和ジカルボン酸もしくはその塩０.５〜１０モル％をアクリルアミドと共重合したのに対し、刊行物１記載の発明は各成分の含有量について明らかでない点。
相違点２:本願発明は、水溶性アクリルアミド系重合体を土壌に対し、０.１〜５重量％添加混合したのに対し、刊行物１記載の発明は、水溶性アクリルアミド系重合体を土壌に対し、０.５〜１０％、とくに好ましくは１.５〜５％添加混合した点。
　そこで、前記相違点１について検討する。
　刊行物２には、ー（ＣＨ２　ーＣＨ）ー
　　　　　　　　　　　　　　　　｜
　　　　　　　　　　　　　　　　ＣＯＯ−  Ｎａ＋  で表される繰返し単位を０.１〜５モル％含有する水溶性アクリルアミド共重合体を土壌に対し添加混合することが記載され、かつ含有量が２０モル％を超えると根鉢強度が落ちるので好ましくない旨記載されている。そうすると、刊行物１記載の発明に、モル％濃度を調整するという刊行物２記載の技術を適用することは容易であり、その際、数値範囲は期待される根鉢強度中使用条件等に応じて適宜決定されることであるから、アクリルアミドと共重合する２−アクリルアミド２−メチルプロパンスルホン酸もしくはその塩および/または不飽和ジカルボン酸もしくはその塩の含有量を０.５〜１０モル％とすることは当業者が適宜選択する設計事項にすぎず、かつ作用効果も格別のものとは認められない。
　次に、前記相違点２について検討する。
　刊行物１には、アクリルアミド系重合体を土壌に対し、１.５〜５重量％添加混合することが記載されており、少なくとも１.５〜５重量％の範囲では一致している。そうすると、下限を０.１重量％としてアクリルアミド系重合体を０.１〜５重量％添加混合することは当業者が適宜選択する設計事項にすぎず、かつ作用効果も格別のものとは認められない。
　
（３）むすび
　以上のとおり、本願発明は、刊行物１及び２記載の発明に基づいて当業者が容易に発明をすることができたものであり、特許法第２９条第２項の規定により特許を受けることができないものであるから、本願の他の請求項に係る発明を検討するまでもなく、本願は拒絶すべきものである。
　よって、結論のとおり審決する。